(57)【要約】【課題】、簡単な構成で、安定した状態で後頭部を見ることができ、かつ両手を自由に使うことができる二面鏡を提供する。【解決手段】少なくとも使用者の顔を写すための第一の鏡と、使用者の後頭部を第一の鏡に写すための第二の鏡と、第一の鏡と第二の鏡との間の位置関係を可変自在に保持するアーム機構と、を備えた。【選択図】図１
0003172241.tif 000002
【実用新案登録請求の範囲】
【請求項１】
少なくとも使用者の顔を写すための第一の鏡と、
前記使用者の後頭部を前記第一の鏡に写すための第二の鏡と、
前記第一の鏡と前記第二の鏡との間の位置関係を可変自在に保持するアーム機構と、
を備えたことを特徴とする二面鏡。
【請求項２】
前記アーム機構は、一端が前記第二の鏡に結合された固定アームと、主動軸が前記固定アームの他端に結合された第一の自在継ぎ手と、一端が前記第一の自在継ぎ手の従動軸に結合された第一の中間アームと、主動軸が前記第一の中間アームの他端に結合された第二の自在継ぎ手と、一端が前記第二の自在継ぎ手の従動軸に結合された第二の中間アームと、主動軸が前記第二の中間アームの他端に結合された第三の自在継ぎ手と、一端が前記第三の自在継ぎ手の従動軸に接続された結合アームと、を備えたことを特徴とする請求項１記載の二面鏡。
【請求項３】
第一の鏡のサイズがスタンドミラーサイズであり、第二の鏡のサイズが第一の鏡のサイズ以下であり、結合アームの他端が第一の鏡の上端に取り付けられ、前記第一の鏡の下端に鉛直方向に伸縮自在で中心軸の周りに回動自在な支柱を有するスタンドが取り付けられたことを特徴とする請求項１または２記載の二面鏡。
【請求項４】
第一の鏡のサイズが姿見サイズであり、第二の鏡のサイズが手鏡サイズであり、結合アームの他端が第一の鏡の上端に取り付けられたことを特徴とする請求項１または２記載の二面鏡。
【請求項５】
第一の鏡のサイズがスタンドミラーサイズであり、第二の鏡のサイズが第一の鏡のサイズ以下であり、結合アームの他端が第一の鏡の上端に取り付けられ、予め壁面に貼り付けられた吸盤の突起部と着脱自在に結合可能なだるま孔が形成された取り付け部材が前記第一の鏡の裏面に取り付けられたことを特徴とする請求項１または２記載の二面鏡。
【請求項６】
第一の鏡のサイズが壁掛け鏡サイズであり、第二の鏡のサイズが第一の鏡のサイズ以下であり、第一の鏡が屋内の内壁に固定され、前記結合アームの他端が前記内壁に続く天井に取付部材で取り付けられたことを特徴とする請求項１または２記載の二面鏡。
【請求項７】
第一の鏡及び第二の鏡もしくはいずれか一方が凹面鏡であることを特徴とする請求項１から６のいずれか一項記載の二面鏡。
【請求項８】
第二の鏡の一方の面が平面鏡であり、他方の面が凹面鏡であることを特徴とする請求項１から６の何れか一項記載の二面鏡。
【考案の詳細な説明】
【技術分野】
【０００１】
本考案は、二面鏡に係わり、特に使用時に両手が自由に使える二面鏡に関する。
【背景技術】
【０００２】
髪の毛を調髪したり染色したりする場合、理容室や美容室を利用することが多い。これは髪の毛のカットや染色等には高度の理容技術を必要とするためである。
【０００３】
しかし、理容室や美容室を理容する場合には、待ち時間や調髪時間や費用がかかる。
近年、染色剤の開発や不況に伴い、家庭内で個人が髪の毛を染色したり、アレンジしたりすることが多くなっている。また、理容室で整髪する際には利用者は前面の鏡で自己の頭の前部や横部は見ることができるが、手鏡を利用しないと後頭部をみることが出来ない。
特に、家庭内で個人的に髪の毛を染色しようとする場合、片手でハンドミラーを持ち、前面の鏡と照らし合わせると、確かに後頭部を見ることは可能であるが、一方の手しか使えず、櫛で髪の毛を分けながら染色することは不可能になる。
【０００４】
そこで、両手を自由に使うことができる二面鏡が提案されている（例えば、特許文献１参照。）。
特許文献１に記載の発明は、「頭髪染色用バックミラー」に関するものであり、「後頭部および頭頂部を囲む円弧形状のミラー本体と、ミラー本体の支持体とを備え、支持体は背負い型あるいは自立型としている」ものである。
【先行技術文献】
【特許文献】
【０００５】
【特許文献１】特開２００４−１４１２６４号公報
【考案の概要】
【考案が解決しようとする課題】
【０００６】
しかしながら、特許文献１に開示されている頭髪染色用バックミラーは、背負う場合には背負う煩わしさがあり、自立させる場合には背中や頭が接触すると倒れやすく不安定な状態になるという問題がある。また、頭とミラー本体との間の空間が小さいため、実際に使用者に後頭部が見えるか疑問であり、ミラー本体は放物面状の凹面であり、製造が容易ではなく、また、像がゆがんだ状態で拡大されると推定される。さらに、ミラー本体に櫛や手が接触して表面に染色体が付着するおそれがある。
【０００７】
そこで、本考案は、上記問題点に鑑みてなされたものであり、簡単な構成で、安定した状態で後頭部を見ることができ、かつ両手を自由に使うことができる二面鏡を提供することを目的とする。
【課題を解決するための手段】
【０００８】
上記課題を解決するため、本考案の請求項１に係る二面鏡は、少なくとも使用者の顔を写すための第一の鏡と、前記使用者の後頭部を前記第一の鏡に写すための第二の鏡と、前記第一の鏡と前記第二の鏡との間の位置関係を可変自在に保持するアーム機構と、を備えたことを特徴とする。
【０００９】
請求項２に係る二面鏡は、請求項１記載の二面鏡において、前記アーム機構は、一端が前記第二の鏡に結合された固定アームと、手動軸が前記固定アームの他端に結合された第一の自在継ぎ手と、一端が前記第一の自在継ぎ手の従動軸に結合された第一の中間アームと、主動軸が前記第一の中間アームの他端に結合された第二の自在継ぎ手と、一端が前記第二の自在継ぎ手の従動軸に結合された第二の中間アームと、主同軸が前記第二の中間アームの他端に結合された第三の自在継ぎ手と、一端が前記第三の自在継ぎ手の従動軸に接続された結合アームと、を備えたことを特徴とする。
【００１０】
請求項３に係る二面鏡は、請求項１または２記載の二面鏡において、第一の鏡のサイズがスタンドミラーサイズであり、第二の鏡のサイズが第一の鏡のサイズ以下であり、結合アームの他端が第一の鏡の上端に取り付けられ、前記第一の鏡の下端に鉛直方向に伸縮自在で中心軸の周りに回動自在な支柱を有するスタンドが取り付けられたことを特徴とする。
【００１１】
請求項４に係る二面鏡は、請求項１または２記載の二面鏡において、第一の鏡のサイズが姿見サイズであり、第二の鏡のサイズが手鏡サイズであり、結合アームの他端が第一の鏡の上端に取り付けられたことを特徴とする。
【００１２】
請求項５に係る二面鏡は、請求項１または２記載の二面鏡において、第一の鏡のサイズがスタンドミラーサイズであり、第二の鏡のサイズが第一の鏡のサイズ以下であり、結合アームの他端が第一の鏡の上端に取り付けられ、予め壁面に貼り付けられた吸盤の突起部と着脱自在に結合可能なだるま孔が形成された取り付け部材が前記第一の鏡の裏面に取り付けられたことを特徴とする。
【００１３】
請求項６に係る二面鏡は、請求項１または２記載の二面鏡において、第一の鏡のサイズが壁掛け鏡サイズであり、第二の鏡のサイズが第一の鏡のサイズ以下であり、第一の鏡が屋内の内壁に固定され、前記結合アームの他端が前記内壁に続く天井に取付部材で取り付けられたことを特徴とする。
【００１４】
請求項７に係る二面鏡は、請求項１から６のいずれか一項記載の二面鏡において、第一の鏡及び第二の鏡もしくはいずれか一方が凹面鏡であることを特徴とする。
【００１５】
請求項８に係る二面鏡は、請求項１から６のいずれか一項記載の二面鏡において、第二の鏡の一方の面が平面鏡であり、他方の面が凹面鏡であることを特徴とする。
【考案の効果】
【００１６】
本考案によれば、簡単な構成で、安定した状態で後頭部を見ることができ、かつ両手を自由に使うことができる二面鏡を提供することが可能となる。
【図面の簡単な説明】
【００１７】
【図１】本考案にかかる二面鏡の使用状態を示す外観斜視図である。
【図２】（ａ）は、図１に示した二面鏡に用いられる第一の鏡の裏面図であり、（ｂ）は、（ａ）のIIb−IIb線断面図であり、（ｃ）は、（ａ）に示した第一の鏡を壁に貼り付けたときの側面図である。
【図３】（ａ）〜（ｄ）は、図１に示した二面鏡の動作を説明するための説明図である。
【図４】図１に示した二面鏡の第一の鏡側を屋内の内壁に貼り付けた状態を示す外観斜視図である。
【図５】（ａ）は、図１に示した二面鏡の第二の鏡側を天井に取り付けた状態を示す外観斜視図であり、（ｂ）は、（ａ）に示した二面鏡の天井取付部の拡大断面図である。
【考案を実施するための形態】
【００１８】
以下に本考案の第１の実施形態について、図面を参照して詳細に説明する。
【００１９】
（第１の実施形態）
＜構  成＞
図１〜図３を参照して本考案に係る二面鏡の第１の実施の形態について述べる。
図１は、本考案にかかる二面鏡の使用状態を示す外観斜視図である。図２（ａ）は、図１に示した二面鏡に用いられる第一の鏡の裏面図であり、図２（ｂ）は、図２（ａ）のIIb−IIb線断面図であり、図２（ｃ）は、図２（ａ）に示した第一の鏡を壁に貼り付けたときの側面図である。図３（ａ）〜（ｄ）は、図１に示した二面鏡の使用方法を説明するための外観斜視図である。
【００２０】
図１に示す二面鏡１０−１は、少なくとも使用者Ｕ１の顔を写すための第一の鏡２０と、第一の鏡２０と第二の鏡２８との間の位置関係を可変自在に保持するアーム機構ＡＭと、使用者Ｕ１の後頭部もしくは頭頂部を第一の鏡２０に写すための第二の鏡２８と、を有する。
【００２１】
アーム機構AMは、一端が第二の鏡２８に結合された固定アーム２７と、主動軸が固定アーム２７の他端に結合された第一の自在継ぎ手２６−３と、一端が第一の自在継ぎ手２６−３の従動軸に結合された第一の中間アーム２７−２と、主動軸が第一の中間アーム２７−２の他端に結合された第二の自在継ぎ手２６−２と、一端が第二の自在継ぎ手２６−２の従動軸に結合された第二の中間アーム２７−１と、主動軸が第二の中間アーム２７−１の他端に結合された第三の自在継ぎ手２６−１と、一端が第三の自在継ぎ手２６−１の従動軸に接続された結合アーム２５と、を有する。
【００２２】
この二面鏡１０−１は、例えばテーブルの上にスタンドミラーのように配置されており、使用者Ｕ１がアーム機構ＡＭの中間アーム２７−１、２７−２の開き具合や第二の鏡２８の位置を調節することにより自分の後頭部もしくは頭頂部を見ることができるようになっている。第二の鏡２８は、平面鏡もしくは凹面鏡のいずれかであってもよく、一方の面が凹面鏡で他方の面が平面鏡であってもよい。第一の鏡２０もしくは第二の鏡２８が凹面鏡の場合には、使用者Ｕ１には顔、後頭部もしくは頭頂部が拡大してみることができる。
使用者Ｕ１は、二面鏡１０−１の位置を調整した後は、第一の鏡２０と第二の鏡２８との間の位置関係が保持されるので、両手が自由に使えることになる。しかも、使用者Ｕ１が髪の毛を触る際には二面鏡１０−１から十分な距離を得ることができるので、接触による位置ズレが生じることがない。また、この二面鏡１０−１は、後述するように支柱１８を鉛直上方に伸長させることができるようになっており、使用者Ｕ１の座高に合わせて第一の鏡２０の高さを調節することができ、使用者Ｕ１が座った状態だけでなく立った状態でも使用することもできるようになっている。
【００２３】
第一の鏡２０は、表側（図には表示されていない）に反射部を有し、裏側下端にスタンドホルダ１９を有し、裏側上端に下側アームホルダ２１、及び上側アームホルダ２２を有し、さらに、裏側左右両端に吸盤ホルダ２３、２４を有する。第一の鏡２０は、ガラス製もしくは樹脂製であり、裏面は樹脂板で補強されている。
【００２４】
図２（ａ）、（ｂ）に示すように、スタンドホルダ１９は、内部に円柱状の凹部１９ａが形成された直方体に形成されており、スタンドＳの円柱状の支柱１８の上端が着脱自在、かつ回動自在に挿入されるようになっている。図２（ｃ）に示すように、スタンドホルダ１９には後述する壁面１００と接触する面側にゴム板１９ｂが貼り付けられていても良い。壁面１００の保護及び、第一の鏡２０の位置ズレ防止のためである。
上側アームホルダ２２には、短冊状の結合アーム２５が挿入可能な貫通孔２２ａが形成されている。上側アームホルダ２２の下側には結合アーム２５の下端を受けるための凹部２１ａが形成された下側アームホルダ２１が固定されている。
【００２５】
下側アームホルダ２１の左側にはだるま孔２３ａが形成された吸盤ホルダ２３が固定され、下側アームホルダ２１の右側にはだるま孔２３ａと同様のだるま孔２４ａが形成された吸盤ホルダ２４が固定されている。両だるま孔２３ａ，２４ａは、図２（ｃ）に示す壁１００に貼り付けられた吸盤１０１の突起部１０２の頭部１０２ａが挿入可能であり、かつ保持可能なように形成されている。
両アームホルダ２１、２２、スタンドホルダ１９、及び両吸盤ホルダ２３，２４は金属（例えば、アルミニウム、合金もしくは鉄）で構成されるのが好ましいが、強度を保持できるような樹脂を用いても良い。
【００２６】
図１に示す二面鏡１０−１の第一の鏡２０は、台座１１が机上に配置されたスタンドＳの支柱１８の上端に着脱自在に取り付けられており、使用者Ｕ１の顔や後頭部を写すことができるサイズ及び形状を有している。第一の鏡２０及び第二の鏡２８の形状は、図では矩形であるが、限定されるものではなく、円形、楕円形、長円形、多角形の何れであってもよい。但し、第二の鏡２８のサイズは、第一の鏡２０のサイズと等しいか小さいのは言うまでもない。
【００２７】
また、第一の鏡２０及び第二の鏡２８の表面（反射面）は平面か凹面である。表面が平面の場合には等倍の像が得られ、凹面の場合には拡大された像が得られる。
さらに、第二の鏡２８の裏面が非反射面である場合には、「この面は裏面です。」の表示が記載されていてもよい。
【００２８】
第一の鏡２０の上端の両アームホルダ２１、２２には自在継ぎ手２６−１の一方（図では下側）の軸としての結合アーム２５の下端が差し込まれている。自在継ぎ手２６−１は、他方の軸が中間アーム２７−１の下端に固定されている。中間アーム２７−１の上端は、自在継ぎ手２６−２の一方（図では右側）に固定され、自在継ぎ手２６−２の他方（この場合左側）は中間アーム２７−２の一端に固定されている。中間アーム２７−２の他端は、自在継ぎ手２６−３の一方（図では上側）に固定され、自在継ぎ手２６−３の他方（この場合下側）の軸としての固定アーム２７は第二の鏡２８の裏側上端に固定されている。
【００２９】
自在継ぎ手２６−１〜２６−３には、二つの材（例えば、主動軸及び従動軸）の接合する角度を手動で自由に変化させることができ、かつ、変化後の角度を保持できる公知の自在継ぎ手が用いられる。
結合アーム２５の長さは、第一の鏡２０の両アームホルダ２１、２２に差込可能な長さ（例えば、５ｃｍ〜１０ｃｍ）を有し、固定アーム２７の長さは、第二の鏡２８の裏面に固定可能な長さ（例えば３ｃｍ〜５ｃｍ）を有する。中間アーム２７−１、２７−２の長さは、使用者Ｕ１が第一の鏡２０で顔や後頭部を見ることができると共に第二の鏡２８の位置を調整でき、かつ二面鏡１０を持ち運びしやすい長さであれば良く、例えば５０ｃｍ〜７０ｃｍ程度であればよい。自在継ぎ手２６−１〜２６−３、結合アーム２５、固定アーム２７、中間アーム２７−１、２７−２の材質はアルミニウムもしくは樹脂で構成される。
【００３０】
＜動  作＞
図３（ａ）〜（ｄ）は、図１に示した二面鏡１０−１の使用方法を説明するための外観斜視図である。
図３（ａ）に示す二面鏡１０−１は、高さが最小で、かつ折り畳んだ状態を示しており、第一の鏡２０と、第二の鏡２８とが重なった状態になっている。第二の鏡２８の表面（反射面）が外側に向いているので、机やテーブル等の上に置いて、通常のスタンドミラーとして使用することができる。
図３（ｂ）に示す二面鏡１０−１は、図３（ａ）に示した二面鏡を第一の鏡２０側から見た状態を示している。このような状態で第二の鏡２８を矢印Ｐ１方向に引っ張ると、第二の鏡２８に加えられた力は、固定アーム２７、第一の自在継ぎ手２６−３、第一の中間アーム２７−２、第二の自在継ぎ手２６−２、第二の中間アーム２７−１、第三の自在継ぎ手２６−１、結合アーム２５、第一の鏡２０、支柱１８、及び台座１１に伝達される。この結果、図３（ｃ）に示すようにアーム機構ＡＭの中間アーム２７−１２７−２はΛ字形状に広がる。
図３（ｃ）に示す二面鏡１０−１の第二の鏡２８は裏面が第一の鏡２０の表面と向かい合ったままなので、第２の鏡２８を矢印Ｐ２方向もしくはその逆方向に回転させ、第一の鏡２０の表面と第二の鏡２８の表面とが向かい合うようにすることで、図１に示した二面鏡１０−１のような状態にセットすることができる。
すなわち、使用者は、簡単な構成で、二面鏡１０−１が安定した状態で自己の後頭部を見ることができ、かつ両手を自由に使うことができる。
【００３１】
図３（ｄ）に示す二面鏡１０−１は、スタンドＳの支柱１８が複数の支柱１２ａ、１２ｂを鉛直上方に伸長し、リング１４、１７、及びつまみ１３、１５、１６で固定することで任意の高さに調節できるようになっている。この場合には、使用者は、立った状態で後頭部を見ることができ、かつ両手を使うことができる。
なお、第一の鏡２０及びスタンドＳの代わりに破線で示す姿見ミラー６０を用いてもよい。
【００３２】
＜第２の実施の形態＞
次に本考案に係る二面鏡の第２の実施の形態について図４を参照して説明する。
図４は、図１に示した二面鏡１０−１の第一の鏡２０を屋内の内壁に貼り付けた状態を示す外観斜視図である。
図４に示した実施の形態の図１に示した実施の形態との相違点は、スタンドＳを用いずに第一の鏡２０を家屋（例えば、浴室）の内壁１００に貼り付けた点である。
すなわち、図４に示した二面鏡１０−２は、図１に示した二面鏡１０−１のうちアーム機構AMをスタンドＳから取り外し、予め内壁１００に貼り付けた吸盤１０１（図２（ｃ）参照）に吸盤ホルダ２３、２４（図２（ｃ）参照）で取り付けたものである。
【００３３】
アーム機構ＡＭを取り付けた後、アーム機構ＡＭの第二の鏡２８を第一の鏡２０から離れる方向に引っ張ると、第二の鏡２８に加えられた力は、固定アーム２７、第一の自在継ぎ手２６−３、第一の中間アーム２７−２、第二の自在継ぎ手２６−２、第二の中間アーム２７−１、第三の自在継ぎ手２６−１、結合アーム２５、第一の鏡２０、図には示されない吸盤、及び壁面１００に伝達される。この結果、図４に示すように中間アーム２７−１、２７−２はΛ字形状に広がる。
ユーザＵ２が第二の鏡２８の位置や向きを調整することにより、第一の鏡２０に顔、後頭部、もしくは頭頂部を写すことができる。
すなわち、二面鏡１０−２をこのように構成しても、使用者Ｕ２は、簡単な構成で、二面鏡１０−２が安定した状態で、顔だけでなく後頭部や頭頂部を見ることができ、かつ両手が自由に使うことができる。
尚、図４では第一の鏡２０及び第二の鏡２８の角部が露出しているが、周囲を例えば軟質ビニルのような柔軟な材質からなる枠で覆ってもよいのは言うまでもない。
また、掃除などで一時的に二面鏡を使用しない場合には、二面鏡１０−２を壁面１００から取り外したり、アーム機構ＡＭの第一の中間アーム２７−２や第二の鏡２８を天井側に移動させることができるようになっている。
【００３４】
＜第３の実施の形態＞
次に本考案に係る二面鏡の第３の実施の形態について図５（ａ）、（ｂ）を参照して説明する。
図５（ａ）は、図１に示した二面鏡１０−１のアーム機構AMを天井２０１に取り付けた状態を示す外観斜視図であり、図５（ｂ）は、図５（ａ）に示した二面鏡の天井取付部の拡大断面図である。
【００３５】
図５（ａ）に示した実施の形態の図４に示した実施の形態との相違点は、第一の鏡２０として予め家屋の内壁１００に設けられた壁掛け鏡（浴室鏡）２００を用い、かつアーム機構ＡＭが内壁１００に続く天井２０１に取付部材で取り付けられている点である。
すなわち、図５（ａ）に示した二面鏡１０−３は、第二の鏡２８に自在継ぎ手２６−１、中間アーム２７−１、自在継ぎ手２６−２、中間アーム２７−２、自在継ぎ手２６−３及び固定アーム２７を介して連結された結合アーム２５が取付部材としてのＬ型金具４０に固定され、Ｌ型金具４０が天井２０１に固定されたものである。
【００３６】
図５（ｂ）に示すＬ型金具(好ましくはステンレス製)４０は、上辺に丸木ネジ４１を通すための通し孔４０ａが形成され、下端に結合アーム２５が挿入可能な凹部４０ｂが形成された金具である。
予め天井２０１に形成された通し孔２０１ａにトグラー４６を挿入し、丸木ネジ（好ましくはステンレス製）４１をＬ型金具４０の通し孔４０ａを通すようにしてトグラー４６に固定されている。
結合アーム２５及びＬ型金具４０に結合アーム２５と直交するように形成された通し孔を貫通するように鍋型ボルト４２が挿入され、ワッシャ４３、スプリングワッシャー４４、及びナット４５(何れも好ましくはステンレス製)で結合アーム２５がＬ型金具４０に固定されている。尚、Ｌ型金具４０と天井２０１との密着部は防水及び防湿のため樹脂等でコーティングされるのが好ましい。
【００３７】
図５（ａ）に示した二面鏡１０−３において、アーム機構ＡＭは、くの字形状となっており、使用者Ｕ３が第二の鏡２８の位置を手動で調整することにより、第一の鏡２０に自己の後頭部や頭頂部を写すことができる。掃除などで第二の鏡２８を一時的に使用しない場合にはアーム機構ＡＭや第二の鏡２８を天井２０１に貼り付けるように移動させることができる。
【００３８】
すなわち、このように二面鏡１０−３を構成しても、使用者Ｕ３は、簡単な構成で、二面鏡１０−３が安定した状態で後頭部を見ることができ、かつ両手が自由に使うことができる。
【００３９】
＜作用効果＞
以上において、本実施の形態によれば、二面鏡がスタンドを含む場合には、テーブル上に置いてスタンドミラーとして使用することができ、支柱の高さを調整することで使用者の座高に合わせることができ、アームを曲げて第二の鏡の位置を調整することで、使用者は自己の顔、頭頂部及び後頭部を見ることができ、しかも両手を自由に使うことができる。
第一の鏡がスタンドミラーサイズでなく、姿見サイズの場合には立った状態で後頭部を見ることができ、この場合にも両手が自由に使うことができる。
【００４０】
また、本実施形態によれば、二面鏡がスタンドを含まず、第一の鏡を浴室等の内壁に貼り付けた場合であっても、アームを曲げて第二の鏡の位置を調整することで、使用者は自己の顔、頭頂部及び後頭部を見ることができ、しかも両手を自由に使うことができる。
【００４１】
また、本実施形態によれば、二面鏡がスタンドを含まず、第一の鏡が浴室等に予め取り付けられた鏡である場合であっても、、アームを曲げて第二の鏡の位置を調整することで、使用者は自己の顔、頭頂部及び後頭部を見ることができ、しかも両手を自由に使うことができる。
すなわち、本実施形態によれば、頭頂部や後頭部の染毛、散髪、及び結髪を目視しながら両手を使い正確に作業することができる。
【００４２】
なお、上述した実施の形態は、本考案の好適な実施の形態の一例を示すものであり、本考案はそれに限定されることなく、その要旨を逸脱しない範囲内において、種々変形実施が可能である。
例えば、上述した実施の形態では、吸盤を浴室の内壁に貼り付けた場合で説明したが、本考案はこれに限定されたものではなく、吸盤の突起部と同様の形状を有するステンレスボルトを浴室の内壁に取り付けても良い。
【符号の説明】
【００４３】
１０−１、１０−２、１０−３    二面鏡
１１    台座
１２、１２ａ、１２ｂ、１８    支柱
１３、１５、１６    つまみ
１４、１７    リング
１９    スタンドホルダ
２０    第一の鏡
２１    下側アームホルダ
２２    上側アームホルダ
２３、２４    吸盤ホルダ
２３ａ、２４ａ    だるま孔
２５    結合アーム
２７    固定アーム
２７−１    第二の中間アーム
２７−２    第一の中間アーム
２６−１、２６−２、２６−３    自在継ぎ手
２８    第二の鏡
４０    Ｌ型金具
４１    丸木ネジ
４２    ボルト
４３    ワッシャー
４４    スプリングワッシャー
４５    ナット
４６    トグラー
１００    内壁
１０１    吸盤
１０２    突起部
１０２ａ    頭部
２００    壁掛け鏡（浴室鏡）
２０１    天井
ＡＭ    アーム機構
Ｓ    スタンド
Ｕ１、Ｕ２、Ｕ３    使用者
【図１】
0003172241.tif 000003
【図２】
0003172241.tif 000004
【図３】
0003172241.tif 000005
【図４】
0003172241.tif 000006
【図５】
0003172241.tif 000007